(57)【特許請求の範囲】
【請求項１】
商品と、
前記商品に関連するデザインが施されたラベルと、
前記ラベルの裏面の少なくとも一部に形成され、当該ラベルを前記商品に固定するための接着層と、
前記ラベルと前記商品との間に保持される付属品と、
を備え、
前記ラベルは、前記付属品を挟んで延び、当該ラベルを貫通する２つの切込部と、当該ラベルにおいて前記２つの切込部を連結するように破断可能な切取開始手段と、を備え、
前記ラベルにおいて、前記２つの切込部の間の領域の少なくも一部、及び切取開始手段の裏面には、前記接着層が形成されておらず、
前記切取開始手段の破断により、前記領域の少なくとも一部が前記ラベルから離脱することで、前記付属品が露出可能となっている、付属品付き商品。
【請求項２】
前記ラベルは、閉じていない切込線によって囲まれた少なくとも１つの突出領域を有しており、
前記ラベルにおいて、前記突出領域の裏面には、前記接着層が形成されておらず、
前記切込線上のいずれか２点を通過する線に沿って、前記ラベルにおける前記突出領域の外側が折り曲がるように、前記ラベルを前記商品に固定することで、前記突出領域を前記ラベルから突出させるように構成されている、請求項１に記載の付属品付き商品。
【請求項３】
２つの前記突出領域を備えており、
前記突出領域の切込線の一部が、前記切込部を構成する、請求項２に記載の付属品付き商品。
【請求項４】
前記切込部は、前記ラベルの一端部側から他端部側に延びるように形成されており、
前記切取開始手段は、前記ラベルの一端部側に配置され、
前記切込部において、前記ラベルの他端部側には、前記ラベルの縁部側に延びる切取開始用のガイド用切込線が設けられている、請求項１から３のいずれかに記載の付属品付き商品。
【請求項５】
前記切取開始手段は、前記ラベルの内部を通過し、前記２つの切込部を結ぶ切取線により形成されており、
前記ラベルの前記２つの切込部の間の領域において、前記付属品と前記切取開始手段との間には、前記接着層が形成されていない、請求項２から４のいずれかに記載の付属品付き商品。
【請求項６】
前記切取開始手段は、前記各切込部の端部と前記ラベルの端縁とを結ぶ切取線により形成されており、
前記ラベルの前記２つの切込部の間の領域において、前記付属品と前記ラベルの端縁との間には、前記接着層が形成されていない、請求項１から４のいずれかに記載の付属品付き商品。
【請求項７】
前記接着層は、前記２つの切込部の間の領域に配置される、付属品用接着部を有しており、
前記付属品は、前記付属品用接着部を覆うように配置され、前記ラベルに固定されている、請求項１から６のいずれかに記載の付属品付き商品。
【発明の詳細な説明】
【技術分野】
【０００１】
本発明は、付属品付き商品に関する。
【背景技術】
【０００２】
従来より、販売促進のため、商品に関連する付属品を添付して、商品を販売することが行われている。例えば、特許文献１には、付属品とを一体的に連結した商品が提案されている。具体的には、円筒状の商品の周囲にラベルを巻き付け、さらに、これと隣接するように付属品にもラベルが巻き付けられる。これら２つのラベルは一体的に形成されており、これによって、商品と付属品とは隣接した状態で固定される。
【先行技術文献】
【特許文献】
【０００３】
【特許文献１】特開２００９−２４９０１６号公報
【発明の概要】
【発明が解決しようとする課題】
【０００４】
しかしながら、上記のような付属品付き商品では、付属品を商品から取り外すには、ラベルを破らなければならないが、例えば、ラベルと商品又は付属品が接着剤などで固定されている場合には、接着剤を剥がす必要があり、これによって、商品又は付属品の外観が損傷する可能性がある。本発明は、この問題を解決するためになされたものであり、商品と付属品とを固定するラベルの全体を剥がすことなく、付属品を商品から取り外すことができる付属品付き商品を提供することを目的とする。
【課題を解決するための手段】
【０００５】
本発明に係る付属品付き商品は、商品と、前記商品に関連するデザインが施されたラベルと、前記ラベルの裏面の少なくとも一部に形成され、当該ラベルを前記商品に固定するための接着層と、前記ラベルと前記商品との間に保持される付属品と、を備え、前記ラベルは、前記付属品を挟んで延び、当該ラベルを貫通する２つの切込部と、当該ラベルにおいて前記２つの切込部を連結するように破断可能な切取開始手段と、を備え、前記ラベルにおいて、前記２つの切込部の間の領域の少なくも一部、及び切取開始手段の裏面には、前記接着層が形成されておらず、前記切取開始手段の破断により、前記領域の少なくとも一部が前記ラベルから離脱することで、前記付属品が露出可能となっている。
【０００６】
この構成によれば、ラベルに形成された２つの切込部の間に付属品が配置されるとともに、２つの切込部が連結されるように切取開始手段が設けられているため、切取開始手段を破断すると、２つの切込部が連結される。これにより、２つの切込部に挟まれた領域の少なくとも一部は、ラベルから離脱可能となる。その結果、離脱した領域から付属品を取り外すことができる。したがって、ラベル全体を商品から剥がすことなく、商品とラベルとの間に配置された付属品を簡単な操作で取り外すことができる。
【０００７】
上記付属品付き商品において、前記ラベルは、閉じていない切込線によって囲まれた少なくとも１つの突出領域を有しており、前記ラベルにおいて、前記突出領域の裏面には、前記接着層が形成されておらず、前記切込線上のいずれか２点を通過する線に沿って、前記ラベルにおける前記突出領域の外側が折り曲がるように、前記ラベルを前記商品に固定することで、前記突出領域を前記ラベルから突出させるように構成することができる。
【０００８】
この構成によれば、ラベルに、閉じていない切込線によって囲まれた少なくとも１つの突出領域を設け、この突出領域の裏面には、接着層が形成されないようにしている。そのため、切込線上のいずれか２点を通過する線に沿って、ラベルにおける突出領域の外側が折れ曲がるように、ラベルを前記商品に固定すると、突出領域をラベルから突出させることができる。そして、この突出領域には、例えば、ＰＯＰ広告を施すことができる。したがって、１枚のラベルによって、付属品の取付、及びＰＯＰ広告の提供が可能となり、ラベルの材料コストを大きく低減することができる。
【０００９】
なお、本発明において「ラベルにおける突出領域の外側が折れ曲がるように」との構成は、完全な折り目が形成された上で、折れ曲がる態様に限定されるものではなく、湾曲した状態で折れ曲がる態様も含まれる。
【００１０】
上記付属品付き商品においては、２つの前記突出領域を備えており、前記突出領域の切込線の一部が、前記切込部を構成することができる。
【００１１】
この構成によれば、２個の突出領域により、広告効果を高めることができる。また、切込線の一部が、切込部を構成するため、付属品を取り外すための専用の切込部が不要となり、外観が煩雑になるのを防止することができる。
【００１２】
上記付属品付き商品において、前記切込部は、前記ラベルの一端部側から他端部側に延びるように形成されており、前記切取開始手段は、前記ラベルの一端部側に配置され、前記切込部において、前記ラベルの他端部側には、前記ラベルの縁部側に延びる切取開始用のガイド用切込線を設けることができる。
【００１３】
この構成によれば、切取開始手段を破断させた後、切込部に囲まれた領域を引っ張ることで、ガイド用切込線によって、ラベルが破断を開始するため、切込部に囲まれた領域をラベルから容易に、且つ完全に離脱させることができる。
【００１４】
上記各付属品付き商品において、切取開始手段は、種々の態様にすることができる。例えば、前記切取開始手段は、前記ラベルの内部を通過し、前記２つの切込部を結ぶ切取線により形成されており、前記ラベルの前記２つの切込部の間の領域において、前記付属品と前記切取開始手段との間には、前記接着層が形成されていないようにすることができる。
【００１５】
あるいは、前記切取開始手段は、前記各切込部の端部と前記ラベルの端縁とを結ぶ切取線により形成され、前記ラベルの前記２つの切込部の間の領域において、前記付属品と前記ラベルの端縁との間には、前記接着層が形成されていないようにすることができる。
【００１６】
上記各付属品付き商品において、前記接着層は、前記２つの切込部の間の領域に配置される、付属品用接着部を有しており、前記付属品は、前記付属品用接着部を覆うように配置され、前記ラベルに固定することができる。
【００１７】
この構成によれば、付属品が付属品用接着部によってラベルに固定されているため、付属品を確実に保持することができる。そのため、ラベルを商品から取り外したとき、付属品が商品とラベルとの間から離脱して落下するのを防止することができる。例えば、口腔用製品などの衛生用品に係る付属品である場合には、落下して汚れることは忌避されるため、そのような付属品を採用する場合には、特に有利である。さらに、付属品が付属品用接着部を覆うため、付属品用接着部が商品に直接接触するのを防止することができる。そのため、ラベルを取り外したときに、付属品用接着部によって、商品の表面が剥がれ、商品の外観が悪くなるのを防止することができる。
【発明の効果】
【００１８】
本発明に付属品付き商品によれば、商品と付属品とを固定するラベル全体を剥がすことなく、付属品を商品から取り外すことができる。
【図面の簡単な説明】
【００１９】
【図１】本発明に係る商品の一実施形態を示す、斜視図（ａ）、正面図（ｂ）、及び背面図（ｃ）である。
【図２】本発明に係るラベルの一実施形態を示す、平面図（ａ）、及び接着層を示す平面図（ｂ）である。
【図３】本実施形態に係る付属品の平面図（ａ）、及び正面図（ｂ）である。
【図４】図２のラベルに対する図３の付属品の取付を説明する平面図である。
【図５】図１の商品に対する、図２のラベル及び図３の付属品の取付を説明する斜視図である。
【図６】図１の商品に対する、図２のラベル及び図３の付属品の取付を説明する斜視図である。
【図７】図１の商品に対する、図２のラベル及び図３の付属品の取付を説明する斜視図である。
【図８】本発明の一実施形態に係る付属品付き商品の斜視図である。
【図９】図８とは異なる角度から見た、本発明の一実施形態に係る付属品付き商品の斜視図である。
【図１０】付属品の取り外しを説明する斜視図である。
【図１１】付属品の取り外しを説明する斜視図である。
【図１２】付属品の取り外しを説明する斜視図である。
【図１３】付属品の取り外しを説明する斜視図である。
【図１４】本発明に係る付属品付き商品のラベルの他の例を示す平面図である。
【図１５】本発明に係る付属品付き商品のラベルの他の例を示す平面図である。
【図１６】本発明に係る付属品付き商品のラベルの他の例を示す平面図である。
【図１７】図１６のラベルを商品に取り付けた状態を示す斜視図である。
【図１８】図１７のラベル付き商品からラベルを取り外す工程を示す斜視図である。
【図１９】本発明に係る付属品付き商品の他の例を示す斜視図である。
【発明を実施するための形態】
【００２０】
以下、本発明に係る付属品付き商品の一実施形態について図面を参照しつつ説明する。本実施形態に係る付属品付き商品は、直方体状の商品に対し、シート状のラベルが巻き付けられたものであり、商品とラベルとの間に付属品が取り付けられている。以下では、商品、ラベル、及び付属品について、個別に説明した後、商品へのラベル及び付属品の取付け、及び完成した付属品付き商品について説明する。
【００２１】
＜１．商品＞
図１は、商品の斜視図（ａ）、正面図（ｂ）、及び背面図（ｃ）である。図１に示すように、本実施形態に係る商品１は、紙や樹脂シートなどによって、形成された箱と、この箱の内部に収容される物品（図示省略）とを備えている。この箱１０は、前面１１、背面１２、天面１３、底面１４、第１側面１５、及び第２側面１６を有する直方体状に形成され、長尺状の物品を収納するため、前面１１、背面１２、天面１３、及び底面１４が長く形成されている。以下では、図１に示すｘ方向（長手方向）、ｙ方向（幅方向）、及びｚ方向（高さ方向）を、基準に説明を行うことがある。
【００２２】
図１（ｂ）に示すように、この箱１０の前面１１には、長手方向に沿って横書きされた商品説明用の文字が記載されている。一方、図１（ｃ）に示すように、この箱１０の背面１２には、長手方向に沿って縦書きされた商品説明用の文字が記載されている。すなわち、この箱１０の前面１１と背面１２には、商品説明用の文字が異なる方向で表示されている。
【００２３】
＜２．ラベル＞
次に、ラベルについて、図２を参照しつつ説明する。図２は、ラベルの平面図（ａ）、及び接着層を示す平面図（ｂ）である。このラベル２は、樹脂性の透明また半透明のフィルムなどのシート状材料によって形成されており、裏面の一部に接着剤が塗布されている。そのため、使用前には、ラベル２の裏面は、剥離シート（図示省略）に貼り付けられている。以下、詳細に説明する。
【００２４】
図２（ａ）に示すように、このラベル２は、矩形状に形成されており、商品１の前面１１、天面１３、及び背面１２を覆うように取り付けられるものである。また、このラベル２には、図２（ａ）の左右方向に延びる一対の切込線、つまり図２（ａ）の下側の第１切込線２１、図２（ａ）の上側の第２切込線２２が、平行に形成されている。これら第１切込線２１及び第２切込線２２は、ともにラベル２を厚さ方向に貫通している。そして、両切込線の間の中央領域２３が、商品１の天面１３に取り付けられる。また、第１切込線２１の下側の第１領域２４が前面１１に取り付けられ、さらに、第２切込線２２の上側の第２領域２５が背面１２に取り付けられる。以下では、図２（ａ）の左右方向を長手方向、図２（ａ）の上下方向を幅方向と称し、商品１の方向と対応させて説明することとする。
【００２５】
第１切込線２１は、幅方向に延びる第１側部２１１及び第２側部２１２と、これら両側部を連結し長手方向に延びる中央部２１３と、を備え、第２切込線２２側に凸のＵ字型に形成されている。各側部２１１，２１２は、第１領域２４の幅方向の中間付近まで延びている。また、この第１切込線２１には、第１側部２１１及び第２側部２１２の基端部からラベル２の長手方向の縁部側に延び、中央部２１３とは反対側に凸のＵ字型に形成された第１及び第２折り返し部２１４，２１５が設けられている。そして、各折り返し部２１４，２１５とラベル２と縁部との間にわずかな隙間が形成されている。さらに、第１切込線２１には、第２側部２１２の中間部から、ラベル２の長手方向の縁部側（図２の右側）へ延びる直線状のガイド用切込線２１６が形成されている。ガイド用切込線２１６の長手方向の長さは、第２折り返し部２１５の長手方向の長さの、概ね半分程度である。
【００２６】
また、ラベル２の表面において、第１切込線に囲まれた矩形状の領域２６（以下、第１突出領域と称する）には、商品の前面と対応するように、横書きの文字が表示されている。この文字は、商品を説明するいわゆるＰＯＰ広告用のものである。
【００２７】
一方、第２切込線２２も、第１切込線２１と同様に、形成されている。すなわち、第２切込線２２は、中央領域２３を介して、第１切込線２１と対称となる形状であり、両側部２２１，２２２、中央部２２３、両折り返し部２２４，２２５、及びガイド用切込線２２６により構成されている。また、ラベル２の表面において、第２切込線２２に囲まれた矩形状の領域２７（以下、第２突出領域と称する）には、商品１の背面１２と対応するように、ＰＯＰ広告用の縦書きの文字が表示されている。なお、第１切込線２１の中央部２１３、及び第２切込線２２の中央部２２３が、それぞれ、本発明の切込部に相当する。
【００２８】
また、このラベル２には、第１切込線２１の第１側部２１１と、第２切込線２２の第１側部２２１とを連結し、幅方向に延びる切取線２８が形成されている。この切取線２８は、ミシン目状に形成されており、力を作用させることで、破断可能となっている。
【００２９】
図２（ｂ）に示すように、ラベル２の裏面には、接着剤が塗布された接着層が設けられている。図２（ｂ）における接着層の塗布領域は、ハッチングされた４つの領域である。より詳細に説明すると、塗布領域は、第１領域２４において両折り返し部２１４，２１５よりも下側の第１塗布領域２０１、第２領域２５において両折り返し部２２４，２２５よりも上側の第２塗布領域２０２、及び中央領域２３の一部である。中央領域２３には、２箇所において接着層が設けられており、そのうちの一箇所は、切取線２８寄りの矩形状の中央塗布領域（付属品用接着部）２０３であり、後述する付属品３を取り付けるためのものである。もう一箇所は、各切込線２１，２２の第２側部２１２，２２２からラベル２の縁部まで延びる端部塗布領域２０４である。端部塗布領域２０４は、中央領域２３の幅方向の中央付近に配置され、中央領域２３の半分程度の幅である。
【００３０】
＜３．付属品＞
図３は、付属品の平面図（ａ）及び正面図（ｂ）である。同図に示すように、付属品３は、商品に関連するものであり、矩形の偏平状に形成されている。上述したように、付属品３は、ラベル２の裏面において、中央塗布領域２０３に固定されるものである。したがって、付属品３は、ラベル２の中央領域２３に収まるような大きさとなっている。但し、付属品３は、中央塗布領域２０３よりも大きく、これを覆うような大きさとなっている。そのため、中央塗布領域２０３は、商品１には接着しない。
【００３１】
＜４．商品へのラベルと付属品の取付＞
続いて、商品１へのラベル２及び付属品３の取付方法について、図４〜図９を参照しつつ説明する。まず、図４に示すように、ラベル２を剥離シートから剥がし、ラベル２の裏面の中央塗布領域２０３に付属品３を貼り付ける。次に、図５に示すように、ラベル２を、第１切込線２１における両折り返し部２１４，２１５を結ぶ仮想線Ｘ１に沿って、表面側に対して山折りする。これにより、ラベル２の第１領域２４は、第１折り返し部２１４を含む、第１側部２１１の基端部とラベル２の縁部との間、及び第２折り返し部２１５を含む、第２側部２１２の基端部とラベル２の縁部との間に折り目２０５（以下、第１折り目という）が形成されるとともに、両側部２１１，２１２の間の領域には折り目は形成されず、第１塗布領域２０１と同一平面となるように立ち上がる。この状態で、図６に示すように、第１折り目２０５を、商品１の前面１１と天面１３との境界に位置決めし、第１塗布領域２０１を商品１の前面１１に貼り付ける。このとき、ラベル２の切取線２８側が、商品１の第１側面１５を向くようにする。こうして、ラベル２の第１塗布領域２０１を商品１の前面１１に貼り付けると、第１突出領域２６は、商品１の前面１１と平行に、且つ天面１３を越えて、突出する。また、ラベル２の中央領域２３を、商品１の天面１３に配置することで、端部塗布領域２０４が、商品１の天面１３に貼り付けられる。これにより、ラベル２の中央領域２３と商品１の天面１３との間に付属品３が配置される。なお、上記工程において、ラベル２の第１塗布領域２０１を、商品１の前面１１に貼り付けた後、第１折り目２０５を形成してもよい。
【００３２】
次に、図７に示すように、ラベル２を、第２切込線２２における両折り返し部２２４，２２５を結ぶ仮想線Ｘ２に沿って、表面側に対して山折りする。これにより、ラベル２の第２領域２５は、第１折り返し部２２４を含む、第１側部２２１の基端部とラベル２の縁部との間、及び第２折り返し部２２５を含む、第２側部２２２の基端部とラベル２の縁部との間に折り目（以下、第２折り目２０６という）が形成されるとともに、両側部２２１，２２２の間の領域には折り目は形成されず、第２塗布領域２０２と同一平面となるように立ち上がる。この状態で、第２折り目２０６は、商品１の背面１２と天面１３との境界に一致し、これに続いて、第２塗布領域２０２を商品１の背面１２に貼り付ける。これにより、図８に示すように、ラベル２の第２突出領域２６は、商品１の背面１２と平行に、且つ天面１３を越えて、突出する。こうして、商品１へのラベル２と付属品３の取付が完了する。
【００３３】
このとき、図８に示すように、商品１の前面１１のデザインと、ラベル２の第１突出領域２６のデザインとは同じ向きになり、図９に示すように、商品１の背面１２のデザインと、ラベル２の第２突出領域２７のデザインとは同じ向きになる。なお、各切込線２１，２２の両端部には、折り返し部２１４，２１５，２２４，２２５がそれぞれ設けられているため、例えば、各突出領域２６，２７を底面１４側に引っ張ったとき、各側部２１１，２１２，２２１，２２２の基端部を起点として、ラベル２が破れるのを防止することができる。
【００３４】
＜５．付属品の取り外し＞
以上のように取り付けられた付属品３は、ラベル２の中央領域２３と、商品１の天面１３との間に配置される。この状態から付属品３を取り外すには、次のように作業を行う。まず、図１０に示すように、ラベル２の切取線２８付近で、いずれか一方の切込線２１，２２から、ラベル２と商品１との間に指Ｆを挿入する。このとき、ラベル２と商品１との間には、付属品３が挟まれているため、ラベル２と商品１との間には隙間が形成されている。そのため、指を挿入しやすくなっている。そして、図１１に示すように、ラベル２を商品１から引き離す方向に引っ張ると、切取線２８が破断する。中央領域２３は、両切込線２１，２２に挟まれた領域であるため、両切込線２１，２２を結ぶ切取線２８が破断すると、中央領域２３は、大半がラベル２から離脱可能な状態となる。このとき、図１２に示すように、中央領域２３は、第２側部２１２，２２２とラベル２の縁部との間の領域でのみラベル２と繋がっているため、中央領域２３を、さらに第２側部２１２，２２２側に引っ張ると、両ガイド用切込線２１６，２２６が起点となって、第２側部２１２，２２２とラベル２の縁部との間の領域が破断し、図１３に示すように、中央領域２３は、ラベル２から完全に離脱する。したがって、大きさの小さい端部塗布領域２０４以外で、接着層を商品１から剥がすことなく、中央領域２３をラベル２及び商品１から離脱させることができ、商品１の外観性状をきれいに保つことができる。また、中央領域２３においては、接着層の塗布面積が小さいことから、ラベル２の取付も容易である。なお、離脱した中央領域２３には、中央塗布領域２０３を介して付属品３が取り付けられているため、離脱した中央領域２３から付属品３が落下し、汚れるのを防止することができる。
【００３５】
＜６．特徴＞
以上のように、本実施形態によれば、以下の効果を得ることができる。
（１）ラベル２の裏面に接着層を設け、ラベル２を商品に貼り付けるように構成している。そのため、付属品３をラベル２と商品１との間に配置することができる。また、ラベル２に形成された２つの切込線２１，２２の間に付属品３が配置されるとともに、２つの切込線が連結されるように切取線２８が設けられているため、切取線２８を破断すると、２つの切込線２１，２２が連結される。これにより、２つの切込線２１，２２に挟まれた中央領域２３が、ラベル２から離脱可能となる。その結果、離脱した中央領域２３から付属品３を取り外すことができる。したがって、ラベル全体を商品１から剥がすことなく、商品１とラベル２との間に配置された付属品３を簡単な操作で取り外すことができる。
【００３６】
（２）ラベル２に、閉じていない切込線２１，２２によって囲まれた２つの突出領域２６，２７を設け、各突出領域２６，２７の裏面には、接着層が形成されないようにしている。そのため、切込線２１，２２の両端部を通過する両折り目に沿って、ラベル２における突出領域２６，２７の外側が折り曲がるように、ラベル２を商品１に固定すると、突出領域２６，２７をラベル２から突出させることができる。そのため、各突出領域２６，２７に、それぞれＰＯＰ広告を施すことができる。したがって、１枚のラベル２によって、付属品３の取付、及びＰＯＰ広告の提供が可能となり、材料コストを大きく低減することができる。
【００３７】
（３）２つの突出領域２６，２７の間に、付属品３が保持されているため、外観が煩雑にならず、きれいに保つことができる。
【００３８】
（４）本実施形態に係る商品１は、前面１１と背面１２とで、デザインの向きが９０度異なっているが、ラベル２の２個の突出領域２６，２７には、それぞれ各面１１，１２のデザインの向きに適合する向きの文字（デザイン）が施されている。そのため、１枚のラベル２で、商品１の２つの面の異なる向きのデザインに、適切に対応したＰＯＰ広告を提供することができる。
【００３９】
（５）切取線２８が、ラベル２の内部に設けられ、ラベル２の端縁に達していないため、ラベル２の貼り付け時や、意図しないタイミングで、切取線２８が、破断するのを防止することができる。
【００４０】
＜７．変形例＞
以上、本発明の一実施形態について説明したが、本発明はこれに限定されるものではなく、その趣旨を逸脱しない限りにおいて種々の変更が可能である。なお、以下の変形例は、適宜組合わせ可能である。
【００４１】
＜７−１＞
上記実施形態では、ラベル２を矩形状に形成しているが、商品１に貼り付けることができるのであれば、それ以外の円形状、多角形状などでもよい。また、上記実施形態のラベル２には、２個の突出領域２６，２７を設けているが、突出領域２６，２７の数や位置は特には限定されず、１個、または３個以上設けることもできる。また、各突出領域２６，２７の形状は、Ｕ字型の切込線２１，２２により矩形状になっているが、これ以外の形状でもよい。すなわち、切込線を閉じないように形成し、例えば、円形、楕円、多角形状にすることもできる。
【００４２】
＜７−２＞
ラベル２は、透明、半透明、不透明のいずれでもよいが、半透明または透明にすると、商品１に貼り付けたときに、商品１の表面に記載の表示を、ラベル２を通して視認することができる。また、ラベル２が透明であると、突出領域２６，２７に記載された表示を、突出領域２６，２７の表面側だけでなく、裏面からも視認できる。例えば、第１突出領域２６に記載された表示を、商品１の背面１２側からも視認できるため、広告効果をより高めることができる。
【００４３】
＜７−３＞
また、ラベル２において、接着層が設けられている箇所は、付属品を取り付けることができ、また、突出領域２６，２７を突出できるのであれば、上記実施形態以外の箇所でもよく、特には限定されない。
【００４４】
＜７−４＞
上記実施形態では、ラベルの内部において、両切込線２１，２２を結ぶように、切取線２８を設けているが、両切込線２１，２２を連結できるようになっていれば、その態様は特には限定されない。例えば、図１４に示すように、各切込線２１，２２の中央部２１３，２２３からラベル２の縁部まで延びるような切取線２９１、２９２を設けることもできる。これにより、両切取線２９１、２９２が破断すると、ラベル２の縁部を介して、両切込線２１，２２が連結する。これにより、ラベル２の中央領域２３を、ラベル２から簡単に離脱させることができる。
【００４５】
あるいは、切取線２８を次のように構成することできる。すなわち、図１５に示すように、第１切込線２１における第１折り返し部２１４の端部と、第２切込線２２における中央部２２３の端部付近（第１側面１５側）とを円弧状の切取線２８で結ぶことができる。こうすることで、第１折り返し部２１４を把持して引っ張ることで、切取線２８を破断させることができ、これによって両切込線２１，２２を連結することができる。なお、第２切込線２２における第２折り返し部２２４の端部と、第１切込線２１における中央部２１３の端部付近（第１側面１５側）とを結ぶ切取線２８であってもよい。
【００４６】
また、次のようにラベル２を形成することで、中央領域２３を離脱させることもできる。図１６に示すように、ラベル２において、第１切込線２１及び第２切込線２２の各第２側部２１１，２２１を、ラベル２の幅方向の端部側に延長する。そして、両折り返し部２１４，２２４の端部同士を幅方向に延びる第２切取線２９で連結する。なお、両側部２１１，２２１を連結する切取線は、第１切取線２８と称する。これにより、両切込線２１，２２の第１側部２１１，２２１を連結するように、切取片２９０が形成される。この切取片２９０は、２つの切取線２８，２９、両折り返し部２１４，２２４、及び両側部２１１，２２１によって囲まれている。
【００４７】
そして、図１７に示すように、このラベル２を，上記実施形態と同様に、付属品３とともに商品１に取付ける。この状態で、商品１の前面１１に配置された切取片２９０の端部、つまり、第１折り返し部２１４はラベル２を貫通しているため、この第１折り返し部２１４を把持できるようになっている。
【００４８】
続いて、図１８に示すように、第１折り返し部２１４を把持し、これを引き上げると、両切取線２８，２９が破断するため、切取片２９０は、ラベル２から取り外され、その結果、両切込線２１，２２が連結される。これにより、中央領域２３をラベル２から離脱させることができる。したがって、この態様によれば、第１折り返し部２１４を把持して引っ張ることで、切取片２９０を簡単にラベル２から取り外せるため、両切込線２１，２２をより簡単に連結することができる。なお、第２折り返し部２２４を把持して切取片２９０を引っ張ったり、あるいは各折り返し部２１４，２２４を把持しやすいように、各折り返し部２１４，２２４の近傍の切取線２８，２９を、ミシン目にするのではなく、切込線のようにラベル２を貫通するようにしてもよい。
【００４９】
＜７−５＞
商品１の形状は、直方体以外でもよく、円柱状、多角柱状など、種々の形状にすることができる。例えば、商品１を円柱状としたときは、ラベル２を商品１に沿って湾曲させることで、突出領域２６，２７を突出させることができる。また、商品１は、上記のように箱に物品を収容した形態のみならず、箱に収容されていない物品自体を商品とすることもできる。
【００５０】
＜７−６＞
上記実施形態では、前面１１と背面１２にラベル２の接着層を接着しているが、それ以外の箇所を接着してもよい。また、商品１の前面１１と背面１２と同一平面の突出領域２６，２７を形成しているが、それ以外箇所に突出領域を形成することもできる。例えば、前面１１と天面１３などの隣接する面それぞれと対応するように突出領域を形成することもできる。
【００５１】
＜７−７＞
また、上記実施形態では、両切込線２１，２２の中央部２１３，２２３が、本発明に係る切込部を兼ねているが、切込線２１，２２とは別に、付属品３を挟むように延びる切込部を設けることもできる。また、突出領域２６，２７を形成する切込線２１，２２を設けず、付属品３を取り外すためのみの切込部を設けることもできる。例えば、図１９に示すように、ラベル２において天面１３に配置される領域に、長手方向に延びる２本の切込部２５１，２５２を平行に形成する。これら切込部２５１，２５２は、ラベル２を厚さ方向に貫通している。各切込部２５１，２５２の、第１側面１５側の端部は、ラベル２の縁部には達しておらず、幅方向に延びる切取線２８によって連結されている。一方、第２側面１６側の端部もラベル２の縁部には達していない。また、これら切込部２５１，２５２の間には、接着剤は塗布しない。この構成により、切取線２８を破断すれば、切取り部に挟まれた領域がラベルから離脱可能となり、付属品を簡単に取り外すことができる。また、この領域を第２側面１６側に引っ張れば、両切込部の端部からラベルの端縁までが引裂かれ、ラベルから完全に離脱させることができる。
【００５２】
図１９の態様は、適宜変更可能であり、例えば、切取線や、切込部の第２側面１６側の端部を図１４に示すように構成することができる。また、切込部は、直線状のみならず、曲線状や折れ線状、またはその組合わせでもよい。また、両切込部２５１，２５２は、ミシン目状に形成されていてもよく、その際は、図１４に示すように、切込部の第２側面１６側の端部から、連続して切取線２９１、２９２を設けることによって、切取開始手段を形成してもよい。
【００５３】
＜７−８＞
また、上記実施形態では、ラベル２を破断するための切取線（切取開始手段）は、ミシン目状に形成しているが、その他、ラベルを薄肉状にすることで破断しやすくするなど、簡易にラベルを破断できるものであれば、特には限定されない。
【符号の説明】
【００５４】
１        ：商品
２        ：ラベル
３        ：付属品
２１      ：第１切込線
２２      ：第２切込線
２６      ：第１突出領域
２７      ：第２突出領域
２８      ：切取線（切取開始手段）
２９      ：切取線（切取開始手段）
２０３    ：中央塗布領域（付属品用接着部）
２１６    ：ガイド用切込線
２２６    ：ガイド用切込線
２５１    ：切込部
２５２    ：切込部
２９１    ：切取線（切取開始手段）
２９２    ：切取線（切取開始手段）
【図１】
0006474316.tif 000002
【図２】
0006474316.tif 000003
【図３】
0006474316.tif 000004
【図４】
0006474316.tif 000005
【図５】
0006474316.tif 000006
【図６】
0006474316.tif 000007
【図７】
0006474316.tif 000008
【図８】
0006474316.tif 000009
【図９】
0006474316.tif 000010
【図１０】
0006474316.tif 000011
【図１１】
0006474316.tif 000012
【図１２】
0006474316.tif 000013
【図１３】
0006474316.tif 000014
【図１４】
0006474316.tif 000015
【図１５】
0006474316.tif 000016
【図１６】
0006474316.tif 000017
【図１７】
0006474316.tif 000018
【図１８】
0006474316.tif 000019
【図１９】
0006474316.tif 000020